【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
撮影動作を開始させるためのレリーズスイッチと、
上記レリーズスイッチの状態を検出する検出部と、
上記レリーズスイッチの操作が行われた後の少なくとも１駒の画像を含む、上記レリーズスイッチの操作が行われる前後の所定枚数の連続画像を撮影して画像データに変換する撮像部と、
上記連続画像を表す連続画像データを一時的に記録する第１画像記録部と、
上記第１画像記録部から上記連続画像データを読み出して上記連続画像の撮影時間より長い時間をかけて上記連続画像の再生を行う再生制御部と、
上記連続画像の再生中の上記レリーズスイッチの状態の変化に応答して、上記連続画像データの中から所定の画像データを選択して記録する第２画像記録部と、
を具備し、
上記検出部が上記再生中に上記レリーズスイッチの操作が解除されたことを検出したとき、又は再度操作されたことを検出したとき、上記第２画像記録部は上記再生中の画像に対応する画像データを記録し、
上記検出部が上記連続画像の再生の終了後も上記レリーズスイッチの操作が継続していることを検出したとき、上記再生制御部は再度上記連続画像の再生を開始する
ことを特徴とする撮像装置。
【請求項２】
上記レリーズスイッチの操作を検出した後、所定時間が経過しているかどうかを判定する判定部をさらに備え、上記判定部が上記所定時間が経過していると判定したとき、上記第２画像記録部は上記再生中の画像に対応する画像データを記録することを特徴とする請求項１に記載の撮像装置。
【請求項３】
レリーズスイッチの操作が行われた後の少なくとも１駒の画像を含む、連続画像を撮影して画像データに変換するステップと、
上記連続画像を表す連続画像データを第１画像に一時的に記録するステップと、
上記第１画像記録部から上記連続画像データを読み出して上記連続画像の再生を行うステップと、
上記連続画像の再生中の上記レリーズスイッチの状態の変化に応答して、上記連続画像データの中から所定の画像データを選択して記録するステップと、
を具備することを特徴とする撮像方法。
【請求項４】
撮影動作を開始させるためのレリーズスイッチと、
上記レリーズスイッチの操作が行われた後の少なくとも１駒の画像を含む連続画像を撮影して画像データに変換する撮像部と、
上記連続画像データを一時的に記録する第１画像記録部と、
上記画像記録部から上記連続画像データを読み出して、上記連続画像の撮影時間より長い時間をかけて再生を行う再生制御部と、
上記レリーズスイッチの状態を検出する検出部と、
上記連続画像の再生中の上記レリーズスイッチの状態の変化に応答して、上記連続画像データの中から所定の画像データを選択して記録する第２画像記録部と、
を具備することを特徴とする撮像装置。
【請求項５】
レリーズスイッチの操作が行われた後の少なくとも、１駒の画像を含む連続画像を撮影して画像データに変換するステップと、
上記連続画像データを一時的に記録するステップと、
上記画像記録部から上記連続画像データを読み出して、上記連続画像の撮影時間より長い時間をかけて再生を行うステップと、
を具備することを特徴とする撮像方法。
【請求項６】
撮影動作を開始させるためのレリーズスイッチと、
上記レリーズスイッチの状態を検出する検出部と、
上記レリーズスイッチの操作が行われる以前から連続画像を撮影して画像データに変換する撮像部と、
上記連続画像を表す連続画像データを一時的に記録する第１画像記録部と、
上記連続画像データの中から選択された画像を記録する第２画像記録部と、
上記レリーズスイッチの第１の操作状態に応じて上記第１画像記録部に記録された上記連続画像の画像データを読み出して上記連続画像の撮影時間より長時間で再生する再生制御部と、
上記再生制御部による上記再生中に、上記レリーズスイッチの第２の操作状態に応じて上記連続画像の中から選択された画像データを上記第２画像記録部に記録する画像記録制御部と、
を具備し、
上記第１の操作状態は、レリーズ操作が所定時間の間、続いている状態であり、
上記第２の操作状態は、レリーズ操作が解除された状態である、又はレリーズ操作の解除後に、再度、レリーズ操作が行われた状態であり、
上記第１画像記録部は、レリーズ操作の以前のみ、又は上記レリーズ操作の前後で、上記連続画像の画像データを仮記録する
ことを特徴とする撮像装置。
【手続補正２】
【補正対象書類名】明細書
【補正対象項目名】０００７
【補正方法】変更
【補正の内容】
【０００７】
上記目的を達成するため第１の発明に係わる撮像装置は、撮影動作を開始させるためのレリーズスイッチと、上記レリーズスイッチの状態を検出する検出部と、上記レリーズスイッチの操作が行われた後の少なくとも１駒の画像を含む、上記レリーズスイッチの操作が行われる前後の所定枚数の連続画像を撮影して画像データに変換する撮像部と、上記連続画像を表す連続画像データを一時的に記録する第１画像記録部と、上記第１画像記録部から上記連続画像データを読み出して上記連続画像の撮影時間より長い時間をかけて上記連続画像の再生を行う再生制御部と、上記連続画像の再生中の上記レリーズスイッチの状態の変化に応答して、上記連続画像データの中から所定の画像データを選択して記録する第２画像記録部と、を具備し、上記検出部が上記再生中に上記レリーズスイッチの操作が解除されたことを検出したとき、又は再度操作されたことを検出したとき、上記第２画像記録部は上記再生中の画像に対応する画像データを記録し、上記検出部が、上記連続画像の再生の終了後も上記レリーズスイッチの操作が継続していることを検出したとき、上記再生制御部は再度上記連続画像の再生を開始する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
第２の発明に係わる撮像装置は、上記第１の発明において、上記レリーズスイッチの操作を検出した後、所定時間が経過しているかどうかを判定する判定部をさらに備え、上記判定部が上記所定時間が経過していると判定したとき、上記第２画像記録部は上記再生中の画像に対応する画像データを記録する。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
第３の発明に係わる撮像方法は、レリーズスイッチの操作が行われた後の少なくとも１駒の画像を含む、連続画像を撮影して画像データに変換するステップと、上記連続画像を表す連続画像データを第１画像に一時的に記録するステップと、上記第１画像記録部から上記連続画像データを読み出して上記連続画像の再生を行うステップと、上記連続画像の再生中の上記レリーズスイッチの状態の変化に応答して、上記連続画像データの中から所定の画像データを選択して記録するステップと、を具備する。
【手続補正７】
【補正対象書類名】明細書
【補正対象項目名】００１２
【補正方法】変更
【補正の内容】
【００１２】
第４の発明に係わる撮像装置は、撮影動作を開始させるためのレリーズスイッチと、上記レリーズスイッチの操作が行われた後の少なくとも１駒の画像を含む連続画像を撮影して画像データに変換する撮像部と、上記連続画像データを一時的に記録する第１画像記録部と、上記画像記録部から上記連続画像データを読み出して、上記連続画像の撮影時間より長い時間をかけて再生を行う再生制御部と、上記レリーズスイッチの状態を検出する検出部と、上記連続画像の再生中の上記レリーズスイッチの状態の変化に応答して、上記レンズ画像データの中から所定の画像データを選択して記録する第２画像記録部と、を具備する。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
第５の発明に係わる撮像方法は、レリーズスイッチの操作が行われた後の少なくとも、１駒の画像を含む連続画像を撮影して画像データに変換するステップと、上記連続画像データを一時的に記録するステップと、上記画像記録部から上記連続画像データを読み出して、上記連続画像の撮影時間より長い時間をかけて再生を行うステップと、を具備する。
【手続補正１０】
【補正対象書類名】明細書
【補正対象項目名】００１５
【補正方法】変更
【補正の内容】
【００１５】
第６の発明に係わる撮像装置は、撮影動作を開始させるためのレリーズスイッチと、上記レリーズスイッチの状態を検出する検出部と、上記レリーズスイッチの操作が行われる以前から連続画像を撮影して画像データに変換する撮像部と、上記連続画像を表す連続画像データを一時的に記録する第１画像記録部と、上記連続画像データの中から選択された画像を記録する第２画像記録部と、上記レリーズスイッチの第１の操作状態に応じて上記第１画像記録部に記録された上記連続画像の画像データを読み出して上記連続画像の撮影時間より長時間で再生する再生制御部と、上記再生制御部による上記再生中に、上記レリーズスイッチの第２の操作状態に応じて上記連続画像の中から選択された画像データを上記第２画像記録部に記録する画像記録制御部と、を具備し、上記第１の操作状態は、レリーズ操作が所定時間の間、続いている状態であり、上記第２の操作状態は、レリーズ操作が解除された状態である、又はレリーズ操作の解除後に、再度、レリーズ操作が行われた状態であり、上記第１画像記録部は、レリーズ操作の以前のみ、又は上記レリーズ操作の前後で、上記連続画像の画像データを仮記録する。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】